(57)【要約】【課題】水密性の向上を図ること。【解決手段】四周に上枠１１、下枠１２、縦枠１３が配設された開口枠１０と、開口枠１０に保持される面材１とを備え、各枠１１等に形成される中空部１１ａ等は他の枠１２等の中空部１２ａ等と連通するよう構成された建具であって、下枠１２は、中空部１２ａに下側仕切部５４が配設されることで見込み方向に沿って複数の下室１２ｂが並ぶよう仕切られて形成されるとともに、下側仕切部５４には水の通過を許容する通水孔５５が形成されており、縦枠１３は、中空部１３ａに縦側仕切部７４が配設されることで見込み方向に沿って下室１２ｂに対応して縦室１３ｂが並ぶよう仕切られて形成されている。【選択図】図２
2015227557.tif 000002
【特許請求の範囲】
【請求項１】
四周に枠状部材が配設された矩形状開口を有する枠状体と、
前記矩形状開口を閉塞するよう前記枠状体に保持される面材と
を備え、
前記枠状部材に形成される中空部は他の枠状部材の中空部と連通するよう構成された建具であって、
前記面材の下方側に位置する第１枠状部材は、自身の中空部に少なくとも１つの第１仕切部が配設されることで該第１枠状部材の見込み方向に沿って複数の第１室が並ぶよう仕切られて形成されるとともに、前記第１仕切部には水の通過を許容する通水孔が形成されており、
前記第１枠状部材の両端部に連結される左右一対の第２枠状部材は、それぞれの中空部に前記第１仕切部と同一平面を構成するよう第２仕切部が配設されることで該第２枠状部材の見込み方向に沿って前記第１室に対応して複数の第２室が並ぶよう仕切られて形成されていることを特徴とする建具。
【請求項２】
前記面材の上方側に位置する第３枠状部材は、自身の中空部に前記第１仕切部及び前記第２仕切部と同一平面を構成するよう第３仕切部が配設されることで該第３枠状部材の見込み方向に沿って前記第２室に対応して複数の第３室が並ぶよう仕切られて形成されるとともに、前記第３仕切部には互いに隣接する第３室同士を連通する通気孔が形成されていることを特徴とする請求項１に記載の建具。
【請求項３】
前記第１仕切部は、前記第１枠状部材を構成し、かつ前記面材を室内側から支持する第１押縁部材に設けられており、
前記第２仕切部は、前記第２枠状部材を構成し、かつ前記面材を室内側から支持する第２押縁部材に設けられていることを特徴とする請求項２に記載の建具。
【請求項４】
前記第３仕切部は、前記第３枠状部材を構成し、かつ前記面材を室内側から支持する第３押縁部材に設けられていることを特徴とする請求項２又は請求項３に記載の建具。
【請求項５】
最も室内側に位置する第１室、第２室及び第３室に断熱材より構成される断熱ブロックが配設されたことを特徴とする請求項２〜４のいずれか１つに記載の建具。
【請求項６】
前記第１室のうち最も室外側に位置する第１室を通過させて水を外部に排出させることを特徴とする請求項１〜５のいずれか１つに記載の建具。
【発明の詳細な説明】
【技術分野】
【０００１】
本発明は、建具に関し、より詳細には、四周に枠状部材が配設されて矩形状開口を有する枠状体と、矩形状開口を閉塞するよう枠状体に保持される面材とを備えた建具に関するものである。
【背景技術】
【０００２】
従来、例えばいわゆる「嵌め殺し窓」と称されるもののように、四周に枠部材が配設された枠体と、この枠体により形成される矩形状開口を閉塞するよう該枠体に保持される面材とを備えた建具においては、枠部材に形成される中空部に外圧等により雨水等の水が浸入してしまうことがあった。
【０００３】
そこで、下枠部材の下面に複数のガイド溝を設け、かかるガイド溝を利用して該下枠部材に形成された水抜孔に水を誘導するようにして外部に排出する建具が提案されている（例えば、特許文献１参照）。
【先行技術文献】
【特許文献】
【０００４】
【特許文献１】特開平７−３１７４５５号公報
【発明の概要】
【発明が解決しようとする課題】
【０００５】
ところが、上述した特許文献１に提案されているような建具では、複数のガイド溝を通じて浸入した水を水抜孔に誘導して外部に排出しているものの、枠部材の中空部に浸入した水量が過大なものとなる場合には、該枠部材の隙間等から室内側に漏水等してしまう虞れがあった。
【０００６】
本発明は、上記実情に鑑みて、水密性の向上を図ることができる建具を提供することを目的とする。
【課題を解決するための手段】
【０００７】
上記目的を達成するために、本発明に係る建具は、四周に枠状部材が配設された矩形状開口を有する枠状体と、前記矩形状開口を閉塞するよう前記枠状体に保持される面材とを備え、前記枠状部材に形成される中空部は他の枠状部材の中空部と連通するよう構成された建具であって、前記面材の下方側に位置する第１枠状部材は、自身の中空部に少なくとも１つの第１仕切部が配設されることで該第１枠状部材の見込み方向に沿って複数の第１室が並ぶよう仕切られて形成されるとともに、前記第１仕切部には水の通過を許容する通水孔が形成されており、前記第１枠状部材の両端部に連結される左右一対の第２枠状部材は、それぞれの中空部に前記第１仕切部と同一平面を構成するよう第２仕切部が配設されることで該第２枠状部材の見込み方向に沿って前記第１室に対応して複数の第２室が並ぶよう仕切られて形成されていることを特徴とする。
【０００８】
この発明によれば、面材の下方側に位置する第１枠状部材は、自身の中空部に少なくとも１つの第１仕切部が配設されることで該第１枠状部材の見込み方向に沿って複数の第１室が並ぶよう仕切られて形成されるとともに、前記第１仕切部には水の通過を許容する通水孔が形成されており、第１枠状部材の両端部に連結される左右一対の第２枠状部材は、それぞれの中空部に第１仕切部と同一平面を構成するよう第２仕切部が配設されることで該第２枠状部材の見込み方向に沿って第１室に対応して複数の第２室が並ぶよう仕切られて形成されているので、建具の内部に浸入した雨水等の水は、最も室外側に位置する室（第１室及び第２室）を主に流れ、その後に外部に排出されることになる。つまり、建具の内部に浸入した水は、各中空部において見込み方向に沿って並ぶよう配設された仕切部により移動が規制されて、最も室外側に位置する室以外の室にはほとんど浸入せず、仮に浸入しても第１仕切部に形成された通水孔を通過してその後に外部に排出される。これにより、建具の内部に浸入する水量が過大なものとなっても、各中空部等に配設された各仕切部等により室外側に近い各室等に水が流れる結果、水が室内側に漏水等してしまう虞れがない。
【０００９】
また本発明は、上記建具において、前記面材の上方側に位置する第３枠状部材は、自身の中空部に前記第１仕切部及び前記第２仕切部と同一平面を構成するよう第３仕切部が配設されることで該第３枠状部材の見込み方向に沿って前記第２室に対応して複数の第３室が並ぶよう仕切られて形成されるとともに、前記第３仕切部には互いに隣接する第３室同士を連通する通気孔が形成されていることを特徴とする。
【００１０】
この発明によれば、面材の上方側に位置する第３枠状部材は、自身の中空部に第１仕切部及び第２仕切部と同一平面を構成するよう第３仕切部が配設されることで第３枠状部材の見込み方向に沿って第２室に対応して複数の第３室が並ぶよう仕切られて形成されるとともに、第３仕切部には互いに隣接する第３室同士を連通する通気孔が形成されているので、各室を圧力の等しい等圧空間にすることができるとともに、建具の内部に浸入した雨水等の水は、最も室外側に位置する室（第１室、第２室及び第３室）を主に流れ、その後に外部に排出されることになる。つまり、建具の内部に浸入した水は、各中空部において見込み方向に沿って並ぶよう配設された仕切部により移動が規制されて、最も室外側に位置する室以外の室にはほとんど浸入せず、仮に浸入しても第１仕切部に形成された通水孔を通過してその後に外部に排出される。これにより、建具の内部に浸入する水量が過大なものとなっても、各中空部等に配設された各仕切部等により室外側に近い各室等に水が流れる結果、水が室内側に漏水等してしまう虞れがない。
【００１１】
また本発明は、上記建具において、前記第１仕切部は、前記第１枠状部材を構成し、かつ前記面材を室内側から支持する第１押縁部材に設けられており、前記第２仕切部は、前記第２枠状部材を構成し、かつ前記面材を室内側から支持する第２押縁部材に設けられていることを特徴とする。
【００１２】
この発明によれば、第１仕切部が面材を室内側から支持する第１押縁部材に設けられており、第２仕切部が面材を室内側から支持する第２押縁部材に設けられているので、面材の室内側に複数の第１室及び第２室を形成することができる。
【００１３】
また本発明は、上記建具において、前記第３仕切部は、前記第３枠状部材を構成し、かつ前記面材を室内側から支持する第３押縁部材に設けられていることを特徴とする。
【００１４】
この発明によれば、第３仕切部が面材を室内側から支持する第３押縁部材に設けられているので、面材の室内側に複数の第３室を形成することができる。
【００１５】
また本発明は、上記建具において、最も室内側に位置する第１室、第２室及び第３室に断熱材より構成される断熱ブロックが配設されたことを特徴とする。
【００１６】
この発明によれば、断熱材により構成される断熱ブロックが最も室内側に位置する第１室、第２室及び第３室に配設されているので、断熱性能の向上を図ることができる。
【００１７】
また本発明は、上記建具において、前記第１室のうち最も室外側に位置する第１室を通過させて水を外部に排出させることを特徴とする。
【００１８】
この発明によれば、最も室外側に位置する第１室を通過させて水を外部に排出させるので、最も室外の圧力に近い室を通過させて水を排出することができる。そのため、本来排出されるべき水が排出されずに該第１室に戻ってしまういわゆる吹き返し等の発生を有効に抑止することができる。
【発明の効果】
【００１９】
本発明によれば、水密性の向上を図ることができるという効果を奏する。
【図面の簡単な説明】
【００２０】
【図１】図１は、本発明の実施の形態である建具を室内側から見た外観図である。
【図２】図２は、本発明の実施の形態である建具の縦断面図である。
【図３】図３は、本発明の実施の形態である建具の横断面図である。
【図４】図４は、本発明の実施の形態である建具の変形例の縦断面図である。
【図５】図５は、本発明の実施の形態である建具の変形例の横断面図である。
【発明を実施するための形態】
【００２１】
以下に添付図面を参照して、本発明に係る建具の好適な実施の形態について詳細に説明する。
【００２２】
図１〜図３は、それぞれ本発明の実施の形態である建具を示すものであり、図１は室内側から見た外観図であり、図２は縦断面図、図３は横断面図である。ここで例示する建具は、開口枠（枠状体）１０にガラスパネル等の面材１を固定配置した、いわゆる「嵌め殺し窓」と称されるものである。面材１としては、スペーサ部材を介して２枚の矩形状を成すガラス板を積層した複層ガラスパネルを適用している。
【００２３】
面材１が設置される開口枠１０は、上枠（第３枠状部材）１１、下枠（第１枠状部材）１２、左右一対の縦枠（第２枠状部材）１３を四周枠組みすることにより、矩形状開口１４を形成するものである。そして、面材１は、開口枠１０に該矩形状開口１４を閉塞するよう保持されている。
【００２４】
上枠１１は、上枠本体２０と上側押縁部材（第３押縁部材）３０とを備えて構成されている。上枠本体２０は、アルミニウム又はアルミニウム合金の押し出し型材によって一様な横断面形状を有するように構成されたものであり、上側面材支持ヒレ部２１、第１上側係合受部２２及び第２上側係合受部２３が設けられている。
【００２５】
上側面材支持ヒレ部２１は、上枠本体２０の見込み面において室外側に位置する部位から見付け方向に沿って内方に延在した薄板状部分である。この上側面材支持ヒレ部２１は、開口枠１０に面材１が配置された場合、面材１の上縁部を覆うことができる寸法に形成されている。また、上側面材支持ヒレ部２１の先端部において面材１に対向する見付け面には、シール材であるアウタガスケット２が設けられている。
【００２６】
第１上側係合受部２２は、上枠本体２０の見込み面において面材１よりも室内側に位置する部位から見付け方向に沿って突出した後に室内側に屈曲して形成されている。第２上側係合受部２３は、第１上側係合受部２２とともに上側押縁部材３０を支持するためのものである。この第２上側係合受部２３は、上枠本体２０の見込み面において第１上側係合受部２２よりも室内側に位置する部位から見付け方向に延在した後に室外側に向けて屈曲して延在し、その延在端部が上枠本体２０に近接するよう見付け方向に沿って屈曲されて形成されている。
【００２７】
上側押縁部材３０は、上枠本体２０と同様に、アルミニウム又はアルミニウム合金の押し出し型材によって一様な横断面形状を有するように構成されており、上側基部３１、上側係合部３２、上側面材支持部３３及び上側仕切部（第３仕切部）３４が設けられている。
【００２８】
上側基部３１は、平板状部位であり、上枠１１の見込み方向に沿って延在する部位である。上側係合部３２は、上側押縁部材３０の室内側端部を構成しており、上側基部３１の室内側端部より上枠本体２０に近接するよう見付け方向に沿って延在してその延在端部がフック状を成す部位である。この上側係合部３２は、上枠本体２０の第２上側係合受部２３に係合するものである。
【００２９】
上側面材支持部３３は、上側押縁部材３０の室外側端部を構成しており、上側基部３１の室外側端部より上枠本体２０の見込み面に近接するよう見付け方向に沿って延在する部位である。この上側面材支持部３３は、上側面材支持ヒレ部２１との間に面材１を保持するためのもので、その室外側面にはシール材であるインナガスケット３が設けられている。
【００３０】
上側仕切部３４は、複数（図示の例では２つ）設けられており、第１上側仕切部３４ａ及び第２上側仕切部３４ｂを有している。
【００３１】
第１上側仕切部３４ａは、上側基部３１より上枠本体２０に近接するよう該上枠本体２０の見付け方向に沿って延在した後に室外側に向けて屈曲する部位であり、その延在端部は上枠本体２０の第１上側係合受部２２に係合するものである。
【００３２】
第２上側仕切部３４ｂは、上側基部３１において第１上側仕切部３４ａよりも室内側に位置する部位から上枠本体２０に近接するよう該上枠本体２０の見付け方向に沿って延在する部位であり、その延在端部は上枠本体２０の見込み面に接している。
【００３３】
これにより上枠１１においては、自身に形成される中空部１１ａ、すなわち上枠本体２０に上側押縁部材３０が係合することにより形成される中空部１１ａが上側仕切部３４によって上枠１１の見込み方向に沿って面材１の室内側に複数（図示の例では３つ）の上室（第３室）１１ｂが並ぶよう仕切られて形成されている。また、上側仕切部３４には、それぞれ空気の通過を許容する通気孔３５が形成されている。
【００３４】
下枠１２は、下枠本体４０と下側押縁部材（第１押縁部材）５０とを備えて構成されている。下枠本体４０は、アルミニウム又はアルミニウム合金の押し出し型材によって一様な横断面形状を有するように構成されたものであり、下側面材支持ヒレ部４１及び下側係合受部４２が設けられている。
【００３５】
下側面材支持ヒレ部４１は、下枠本体４０の見込み面において室外側に位置する部位から見付け方向に沿って内方に延在した薄板状部分である。この下側面材支持ヒレ部４１は、開口枠１０に面材１が配置されて場合、面材１の下縁部を覆うことができる寸法に形成されている。また、下側面材支持ヒレ部４１の先端部において面材１に対向する見付け面には、シール材であるアウタガスケット２が設けられている。
【００３６】
ところで、図２中の符号１５は、下枠本体４０の見込み面と面材１との間に介在させたセッティングブロックである。かかるセッティングブロック１５の近傍となる下枠本体４０の見込み面には、図示せぬ水抜孔が形成されており、この水抜孔を通過した水は、下枠本体４０の見込み面の下面に配設された水抜部材１６より外部に排出される。
【００３７】
下側係合受部４２は、下側押縁部材５０を支持するためのもので、下枠本体４０の見込み面において面材１よりも室内側に位置する部位から見付け方向に延在した後に室外側に向けて屈曲して延在し、その延在端部が下枠本体４０に近接するよう見付け方向に沿って屈曲されて形成されている。
【００３８】
下側押縁部材５０は、下枠本体４０と同様に、アルミニウム又はアルミニウム合金の押し出し型材によって一様な横断面形状を有するように構成されており、下側基部５１、下側係合部５２、下側面材支持部５３及び下側仕切部（第１仕切部）５４が設けられている。
【００３９】
下側基部５１は、平板状部位であり、下枠１２の見込み方向に沿って延在する部位である。下側係合部５２は、下側押縁部材５０の室内側端部を構成しており、下側基部５１の室内側端部より下枠本体４０に近接するよう見付け方向に沿って延在してその延在端部がフック状を成す部位である。この下側係合部５２は、下枠本体４０の下側係合受部４２に係合するものである。
【００４０】
下側面材支持部５３は、下側押縁部材５０の室外側端部を構成しており、下側基部５１の室外側端部より下枠本体４０の見込み面に近接するよう見付け方向に沿って延在する部位である。この下側面材支持部５３は、下側面材支持ヒレ部４１との間に面材１を保持するためのもので、その室外側面にはシール材であるインナガスケット３が設けられている。
【００４１】
下側仕切部５４は、複数（図示の例では２つ）設けられており、第１下側仕切部５４ａ及び第２下側仕切部５４ｂを有している。
【００４２】
第１下側仕切部５４ａは、上記第１上側仕切部３４ａと同一平面を構成するように、下側基部５１より下枠本体４０に近接するよう該下枠本体４０の見付け方向に沿って延在する部位である。この第１下側仕切部５４ａの延在端部は下枠本体４０の見込み面に接している。
【００４３】
第２下側仕切部５４ｂは、上記第２上側仕切部３４ｂと同一平面を構成するように、下側基部５１において第１下側仕切部５４ａよりも室内側に位置する部位から下枠本体４０に近接するよう該下枠本体４０の見付け方向に沿って延在する部位である。この第２下側仕切部５４ｂの延在端部は下枠本体４０の見込み面に接している。
【００４４】
これにより下枠１２においては、自身に形成される中空部１２ａ、すなわち下枠本体４０に下側押縁部材５０が係合することにより形成される中空部１２ａが下側仕切部５４によって下枠１２の見込み方向に沿って面材１の室内側に複数（図示の例では３つ）の下室（第１室）１２ｂが並ぶよう仕切られて形成されている。また、下側仕切部５４の延在端部には、それぞれ水の通過を許容する通水孔５５が適宜形成されている。尚、この通水孔５５は、水の通過を許容するのに必要最小限の開口面積を有している。
【００４５】
縦枠１３は、縦枠本体６０と縦側押縁部材（第２押縁部材）７０とを備えて構成されている。縦枠本体６０は、アルミニウム又はアルミニウム合金の押し出し型材によって一様な横断面形状を有するように構成されたものであり、縦側面材支持ヒレ部６１、第１縦側係合受部６２及び第２縦側係合受部６３が設けられている。
【００４６】
縦側面材支持ヒレ部６１は、縦枠本体６０の見込み面において室外側に位置する部位から見付け方向に沿って内方に延在した薄板状部分である。この縦側面材支持ヒレ部６１は、開口枠１０に面材１が配置されて場合、面材１の側縁部を覆うことができる寸法に形成されている。また、縦側面材支持ヒレ部６１の先端部において面材１に対向する見付け面には、シール材であるアウタガスケット２が設けられている。
【００４７】
第１縦側係合受部６２は、縦枠本体６０の見込み面において面材１よりも室内側に位置する部位から見付け方向に沿って突出した後に室内側に屈曲して形成されている。第２縦側係合受部６３は、第１縦側係合受部６２とともに縦側押縁部材７０を支持するためのものである。この第２縦側係合受部６３は、縦枠本体６０の見込み面において第１縦側係合受部６２よりも室内側に位置する部位から見付け方向に延在した後に室外側に向けて屈曲して延在し、その延在端部が縦枠本体６０に近接するよう見付け方向に屈曲されて形成されている。
【００４８】
縦側押縁部材７０は、縦枠本体６０と同様に、アルミニウム又はアルミニウム合金の押し出し型材によって一様な横断面形状を有するように構成されており、縦側基部７１、縦側係合部７２、縦側面材支持部７３及び縦側仕切部（第２仕切部）７４が設けられている。
【００４９】
縦側基部７１は、平板状部位であり、縦枠１３の見込み方向に沿って延在する部位である。縦側係合部７２は、縦側押縁部材７０の室内側端部を構成しており、縦側基部７１の室内側端部より縦枠本体６０に近接するよう見付け方向に沿って延在してその延在端部がフック状を成す部位である。この縦側係合部７２は、縦枠本体６０の第２縦側係合受部６３に係合するものである。
【００５０】
縦側面材支持部７３は、縦側押縁部材７０の室外側端部を構成しており、縦側基部７１の室外側端部より縦枠本体６０の見込み面に近接するよう見付け方向に沿って延在する部位である。この縦側面材支持部７３は、縦側面材支持ヒレ部６１との間に面材１を保持するためのもので、その室外側面にはシール材であるインナガスケット３が設けられている。
【００５１】
縦側仕切部７４は、複数（図示の例では２つ）設けられており、第１縦側仕切部７４ａ及び第２縦側仕切部７４ｂを有している。
【００５２】
第１縦側仕切部７４ａは、上記第１上側仕切部３４ａ及び上記第１下側仕切部５４ａと同一平面を構成するように、縦側基部７１より縦枠本体６０に近接するよう該縦枠本体６０の見付け方向に沿って延在した後に室外側に向けて屈曲する部位である。この第１縦側仕切部７４ａの延在端部は縦枠本体６０の第１縦側係合受部６２に係合するものである。
【００５３】
第２縦側仕切部７４ｂは、上記第２上側仕切部３４ｂ及び上記第２下側仕切部５４ｂと同一平面を構成するように、縦側基部７１において第１縦側仕切部７４ａよりも室内側に位置する部位から縦枠本体６０に近接するよう該縦枠本体６０の見付け方向に沿って延在する部位である。この第２縦側仕切部７４ｂの延在端部は縦枠本体６０の見込み面に接している。
【００５４】
これにより左右一対の縦枠１３においては、自身に形成される中空部１３ａ、すなわち縦枠本体６０に縦側押縁部材７０が係合することにより形成される中空部１３ａが縦側仕切部７４によって縦枠１３の見込み方向に沿って面材１の室内側に複数（図示の例では３つ）の縦室（第２室）１３ｂが並ぶよう仕切られて形成されている。
【００５５】
ところで、上側押縁部材３０の上側基部３１においては、図２に示すように、上室１１ｂと縦室１３ｂとを連通させるための連通開口３６が形成されている。また、下側押縁部材５０の下側基部５１においては、図２及び図３に示すように、下室１２ｂと縦室１３ｂとを連通させるための連通開口５６が形成されている。
【００５６】
このような構成を有する建具においては、上枠１１、下枠１２及び一対の縦枠１３のそれぞれに形成される上室１１ｂ、下室１２ｂ及び縦室１３ｂは、互いに対応するもの同士が連通開口３６，５６を通じて連通することとなる。しかも、上室１１ｂを仕切る上側仕切部３４には通気孔３５が形成されているので、それぞれの室１１ｂ等を圧力の等しい等圧空間にすることができる。
【００５７】
以上のような構成を有する本実施の形態である建具では、各枠１１等の中空部１１ａ等を該枠１１等の見込み方向沿って並ぶよう室（上室１１ｂ、下室１２ｂ、縦室１３ｂ）が形成されているので、該建具の内部に浸入した雨水等の水は、最も室外側に位置する上室１１ｂ、縦室１３ｂ及び下室１２ｂを主に流れ、下枠１２に配設された水抜部材１６より外部に排出されることになる。つまり、建具の内部に浸入した水は、各中空部１１ａ等において枠１１等の見込み方向に沿って並ぶよう配設された各仕切部３４等により移動が規制されて、最も室外側に位置する室以外の室、すなわち中央の上室１１ｂ、縦室１３ｂ及び下室１２ｂや、最も室内側の上室１１ｂ、縦室１３ｂ及び下室１２ｂにはほとんど浸入せず、仮に浸入しても下側仕切部５４に形成された通水孔５５を通過して上記水抜部材１６より外部に排出される。これにより、建具の内部に浸入する水量が過大なものとなっても、各中空部１１ａ等に配設された各仕切部３４等により室外側に近い各室１１ｂ等に水が流れる結果、水が室内側に漏水等してしまう虞れがない。従って、上記建具によれば、水密性の向上を図ることができる。
【００５８】
また、上記建具においては、上側仕切部３４に形成される通気孔３５の断面積を変化させることにより、見込み方向に沿って室内側に向かうに連れて各室１１ｂ等の圧力を変化させることができ、このような圧力差を利用して止水性能を向上させることもできる。
【００５９】
また、上記建具によれば、最も室外側に位置する下室１２ｂを通過させて水抜部材１６から水を外部に排出させるので、最も室外の圧力に近い室外側の下室１２ｂを通過させて水を排出することができる。そのため、本来排出されるべき水が排出されずに該下室１２ｂに戻ってしまういわゆる吹き返し等の発生を有効に抑止することができる。
【００６０】
以上、本発明の好適な実施の形態について説明したが、本発明はこれらに限定されるものではなく種々の変更行うことができる。
【００６１】
図４及び図５に示すように、最も室内側に位置する各室（上室１１ｂ、縦室１３ｂ及び下室１２ｂ）には、例えば発泡ウレタン等の断熱材により構成される断熱ブロック８０を配設してもよい。これによれば、水密性の向上だけでなく、断熱性の向上を図ることもできる。
【００６２】
上述した実施の形態では、上枠１１の中空部１１ａに上室１１ｂを形成するようにしていたが、本発明においては、下室１２ｂとこれに対応する縦室１３ｂとが形成されていればよく、上側押縁部材３０における上側仕切部３４はなくてもよい。
【００６３】
上述した実施の形態では、各押縁部材３０等に複数の仕切部３４等が設けられていたが、本発明においては、仕切部が複数設けられている必要はなく、単数であってもよいし、その数は特に限定されるものではない。
【００６４】
上述した実施の形態では、各枠１１等において各押縁部材３０等に仕切部３４等が設けられていたが、本発明においては、各枠状部材に仕切部が配設されていればよいので、その仕切部の配設部位等は特に限定されるものではない。
【符号の説明】
【００６５】
１  面材、１０  開口枠（枠状体）、１１  上枠（第３枠状部材）、１２  下枠（第１枠状部材）、１３  縦枠（第２枠状部材）、１１ａ，１２ａ，１３ａ  中空部、１１ｂ  上室（第３室）、１２ｂ  下室（第１室）、１３ｂ  縦室（第２室）、１４  矩形状開口、２０  上枠本体、２１  上側面材支持ヒレ部、２２  第１上側係合受部、２３  第２上側係合受部、３０  上側押縁部材（第３押縁部材）、３１  上側基部、３２  上側係合部、３３  上側面材支持部、３４  上側仕切部（第３仕切部）、３５  通気孔、４０  下枠本体、４１  下側面材支持ヒレ部、４２  下側係合受部、５０  下側押縁部材（第１押縁部材）、５１  下側基部、５２  下側係合部、５３  下側面材支持部、５４  下側仕切部（第１仕切部）、５５  通水孔、６０  縦枠本体６０、６１  縦側面材支持ヒレ部、６２  第１縦側係合受部、６３  第２縦側係合受部、７０  縦側押縁部材（第２押縁部材）、７１  縦側基部、７２  縦側係合部、７３  縦側面材支持部、７４  縦側仕切部（第２仕切部）
【図１】
2015227557.tif 000003
【図２】
2015227557.tif 000004
【図３】
2015227557.tif 000005
【図４】
2015227557.tif 000006
【図５】
2015227557.tif 000007